(57)【要約】【課題】従来不可能かまたは高コストであったボトルの開封検出を、ＩＣタグにより容易に実現する。【解決手段】ＩＣチップ８、リード線９およびアンテナ１０からなるＩＣタグ１１を備え、ボトル１の本体２または該本体２に属する部分にＩＣチップ８が設けられ、前記本体２に螺着するキャップ４にアンテナ１０が設けられたボトル１の開封を、前記キャップ４を回転させて、前記ＩＣチップ８と前記キャップ４とを接続する前記リード線９を切断することにより検出する。【選択図】図１
2005222452.tif 000002
【特許請求の範囲】
【請求項１】
ＩＣチップ、リード線およびアンテナからなるＩＣタグを備えたボトルにおいて、
ボトルの本体または該本体に属する部分にＩＣチップが設けられ、前記本体に螺着するキャップにアンテナが設けられたことを特徴とするボトル。
【請求項２】
請求項１に記載のボトルにおいて、前記キャップを回転させて前記リード線を切断することにより、前記ボトルの開封を検出するボトルの開封検出方法。
【発明の詳細な説明】
【技術分野】
【０００１】
本発明は、ボトルの開封検出ができるＩＣタグを有するボトルとボトルの開封検出方法に関するものである。
【背景技術】
【０００２】
酒類等の液体容器であるボトルにＩＣタグを貼着して、製品品質管理を行うことが実施されている。しかしながら、従来のＩＣタグはボトルの内容物を保証するものであって、キャップを開封して内容物を入れ替えるような模倣行為を発見する手段とはなりえなかった。
【０００３】
特許文献１に記載されたように、タグ情報を記憶したＩＣチップとアンテナを主な内部部品として持ち、物品等に付与され、非接触で外部装置との間で情報等の交信を行うＩＣタグは、アンテナとなるコイル状銅線とＩＣチップを有し、該ＩＣチップが基板に搭載され、前記基板のパターン部に接続され、さらに前記基板のパターン部と前記コイル状銅線の接続端部とが接続され、それを二枚のフィルムで挟んで接着して構成される。そして、一方のフィルムは前記コイル状銅線の一方の側面の全面に接着され、他方のフィルムは前記コイル状銅線の他方の側面の全面又は一部分とは接着されないようにした。このようにすることにより、物品に貼り付けたＩＣタグが剥がされる場合に、ＩＣタグが壊れやすいようにした。しかしながら、特許文献１によるＩＣタグは、ボトルの開封検出に用いることはできないものである。
【０００４】
また、特許文献２には、ボトル・キャップの締結状態を上方から一つのカメラにより容易に検査可能な方法が開示されているが、これを実行するには特殊なボトル・キャップ組立体を要するとともに、高価なカメラを用意しなければならず、実用性に乏しいものであった。
【０００５】
【特許文献１】特開２０００−１９４８１０号公報（１ないし５頁）
【特許文献２】特開２００２−１９８８４号公報（１ないし７頁）
【発明の開示】
【発明が解決しようとする課題】
【０００６】
本発明は、上記した問題を解決すべくなされたものであって、ボトルの開封をＩＣタグにより検出する機構と方法を提供することを目的とする。
【課題を解決するための手段】
【０００７】
本発明は、ＩＣチップ、リード線およびアンテナからなるＩＣタグを備えたボトルにおいて、ボトルの本体または該本体に属する部分にＩＣチップが設けられ、前記本体に螺着するキャップにアンテナが設けられたボトルに関する。
【発明の効果】
【０００８】
本発明は、ＩＣチップ、リード線およびアンテナからなるＩＣタグを備えたボトルにおいて、ボトルの本体または該本体に属する部分にＩＣチップが設けられ、前記本体に螺着するキャップにアンテナが設けられたので、ボトルの開封を容易に検出することができる。
【発明を実施するための最良の形態】
【０００９】
図面に基づいて、本発明の形態を詳細に説明する。図１は、本発明を実施するボトルの要部を示す部分断面の正面図である。図２は、図１におけるボトルのキャップを回転させて開封した状況を示す正面図である。図３は、本発明を実施する他のボトルの要部を示す部分断面の正面図である。図４は、図３におけるボトルのキャップを回転させて開封した状況を示す正面図である。
【００１０】
図１に示すように、ボトル１は、本体２と、本体２の一部に設けられた口部３と、口部３の外周に刻設した雄螺子１４に螺合して口部３を封じるキャップ４とからなる。本体２は、ポリエチレンテレフタレートや塩化ビニール等の樹脂、アルミニューム等の金属あるいはガラスからなる。キャップ４は、樹脂製であり、外キャップ５と、外キャップ５に内設・固着され口部３の雄螺子１４に螺合する雌螺子を有する内キャップ６とからなる。なお、内キャップ６は設けられず、外キャップ５に直接前記雌螺子を設ける場合もある。外キャップ５の端面には、口部３の基部に突設した円環部１３に係合するスカート７が、細い連絡部でなる切断部１２のみで接続・連設されている。
【００１１】
キャップ４を開封する場合は、外キャップ５を反時計方向に回転させると、スカート７は口部３と係合して回転が阻止されているので、切断部１２が切断されて外キャップ５および内キャップ６は反時計方向に回転可能となる。そして、キャップ４は、スカート７を口部３に残して、口部３から分離されることになるので、スカート７は本体２に属するものといえる。
【００１２】
ＩＣタグ１１は、タグ情報を記憶したＩＣチップ８、アンテナ１０、およびＩＣチップ８とアンテナ１０とを接続するリード線９を主な構成部品とし、物品等に付与され、非接触で外部装置との間で情報等の交信を行う公知のものである。
【００１３】
図１に示すボトル１に本発明のＩＣタグ１１を装着する場合について詳細に説明する。ＩＣタグ１１は、１ｍｍ角以下の薄板状に形成されたＩＣチップ８と、細い導線やプリント配線基板あるいは導電性印刷材料によりループ状に形成されたアンテナ１０と、ＩＣチップ８とアンテナ１０とを電気的に接続する直径０．５ｍｍ以下の細い導線からなるリード線９により構成される。ＩＣチップ８は、スカート７が外キャップ５と一体に射出成形されるときに、スカート７の内部にインサート成形により封入される。このとき、リード線９とアンテナ１０がＩＣチップ８に接続された状態のまま外キャップ５の内周面または内部に配設されるように、スカート７と外キャップ５は成形される。アンテナ１０は、その大きさが比較的大きい場合はキャップ４の上面である平面に配設されるが、その大きさが比較的小さい場合はキャップ４の側面である円周面に配設されることもある。
【００１４】
上記のように構成されているので、キャップ４およびスカート７が本体２の一部である口部３に装着されて、ボトル１に酒等の液体が封入された後、開封のためキャップ４が回転されたとき（図２）には、外キャップ５がスカート７から切断部１２において分離されるとともに、リード線９も切断される。このような状態においては、ＩＣタグ１１は機能せず、非接触で外部装置とＩＣタグ１１との間で情報等の交信を行うことができず、外部装置はボトル１の開封を検出し確認することができるのである。
【００１５】
次に、図３に基づいて他の実施例について説明する。ボトル２０は、本体２１と、本体２１の一部に設けられた口部２２と、口部２２の外周に刻設した雄螺子３１に螺合して口部２２を封じるキャップ２３とからなる。本体２１は、ポリエチレンテレフタレートや塩化ビニール等の樹脂、アルミニューム等の金属あるいはガラスからなる。キャップ２３は、樹脂製であり、外キャップ２４と、外キャップ２４に内設・固着され口部２２の雄螺子３１に螺合する雌螺子を有する内キャップ２５とからなる。なお、内キャップ２５は設けられず、外キャップ２４に直接雌螺子を設ける場合もある。
【００１６】
ボトル２０にＩＣタグ２９を装着する場合について詳細に説明する。ＩＣタグ２９は先の実施例におけるＩＣタグ１１と同一のものである。アンテナ２８とリード線２７は、先の実施例と同様に、外キャップ２４と内キャップ２５との間にその射出成形時にインサート成形または貼り付け成形等により配設される。ただし、ＩＣチップ２６は、外キャップ２４の端面の外方へリード線２７に接続されて吊設される。そして、ＩＣチップ２６は、一面が接着可能なフィルム３２に貼着または埋設されている。
【００１７】
上記のように構成されているので、キャップ２３が本体２１の一部である口部２２に螺着されて、ボトル２０に酒等の液体が封入された後、ＩＣチップ２６は前記フィルム３２とともに口部２２に隣接する本体２１の側面に接着して取り付けられる。その後、ボトル２０を開封するとき（図４）には、キャップ２３の外キャップ２４が反時計方向に回転されるので、リード線２７は切断部３０で切断される。このような状態においては、ＩＣタグ２９は機能せず、非接触で外部装置とＩＣタグ２９との間で情報等の交信を行うことができず、外部装置はボトル２０の開封を検出し確認することができるのである。
【００１８】
この発明は以上説明した実施例に限定されるものではなく、発明の趣旨を逸脱しない範囲内において種々の変更を付加して実施することができる。
【図面の簡単な説明】
【００１９】
【図１】本発明を実施するボトルの要部を示す部分断面の正面図である。
【図２】図１におけるボトルのキャップを回転させて開封した状況を示す正面図である。
【図３】本発明を実施する他のボトルの要部を示す部分断面の正面図である。
【図４】図３におけるボトルのキャップを回転させて開封した状況を示す正面図である。
【符号の説明】
【００２０】
１，２０    ボトル
２，２１    本体
３，２２    口部
４，２３    キャップ
５，２４    外キャップ
６，２５    内キャップ
７          スカート
８，２６    ＩＣチップ
９，２７    リード線
１０，２８  アンテナ
１１，２９  ＩＣタグ
１２，３０  切断部
１３        円環部
１４，３１  雄螺子
３２        フィルム
【図１】
2005222452.tif 000003
【図２】
2005222452.tif 000004
【図３】
2005222452.tif 000005
【図４】
2005222452.tif 000006